(57)【要約】【課題】従来、野外写生などにケースに入った色鉛筆を持ち歩いているが、写生する場合には、ケースを持ちながら描くことは出来ず、これを下に置いて、色鉛筆を必要に応じて交換している。これは、立って描く場合など、その都度姿勢を変えて下から色鉛筆を取らなければならず、大変不便である。【解決手段】色鉛筆などの筆記具を収納する収納ケースで、外箱の小口より、筆記具を収納する支持具に筆記具を入れ、使用時には、支持具に設けたつまみを外箱の側面に形成した開口部に沿って小口方向にスライドさせると筆記具の端部を小口より外に進出させることが出来る。つぎに、この収納ケースを小口を上にして首などから吊るせば、姿勢を変えなくても簡単に筆記具を取り出すことが出来る。【選択図】図３
2015020058.tif 000002
【特許請求の範囲】
【請求項１】
筆記具を収納する収納ケースであって、小口が開放された外箱と、該外箱内に収納されて、筆記具の一方を支持して収納する支持具からなり、前記外箱の側面には開口部が形成され、前記支持具は、前記開口部に臨むつまみを有し、前記つまみは、前記開口部に沿って前記小口の方向にスライドさせることによって、前記筆記具を前記小口より外に進出させることが出来るとゝもに、前記箱体の内側に、前記支持具を係止するための係止具材が設けられていることを特徴とする筆記具収納ケース。
【請求項２】
前記支持具の内側に、前記筆記具をスライド可能に支持する滑り止め部材を設けることを特徴とする請求項１記載の筆記具収納ケース。
【請求項３】
前記滑り止め部材が、同時に、前記支持具を係止する前記係止具材を兼用することを特徴とする請求項１記載の筆記具収納ケース。
【請求項４】
前記開口部には、前記外箱の側面の前記小口と連通し、前記つまみが嵌まる切欠き部があり、前記筆記具を収納した支持具が、使用時、収納時には天地を逆にして、前記切り欠き部に前記つまみを抜き差しゝて嵌まることを特徴とする請求項１記載の筆記具収納ケース。
【発明の詳細な説明】
【技術分野】
【０００１】  本発明は、筆記具を収納する収納ケースに関するものである。
【背景技術】
【０００２】  従来、写生する場合は、下記特許文献に例示するまでもなく、筆記具（例えば、色鉛筆、鉛筆、色筆、パステル、クレパスなど）を単に蓋をとりつけた筆記具収納ケース（以下、収納ケース）に入れて持ち歩いて描いている。
【先行技術文献】
【特許文献】
【０００３】
【特許文献１】  特許第３６９８６７４号
【発明の概要】
【発明が解決しようとする課題】
【０００４】  色鉛筆などを使用して写生する場合、多くの本数の色鉛筆を筆記具として収納ケースに入れて持ち歩くが、収納ケースは、全体に大きく偏平な蓋をつけたもので描く場合、蓋を開いて持ち続けることは出来ず、収納ケースを身体から離して下に置かねばならず、色鉛筆を交換する度ごとに姿勢を変えて下方より取らなければならず不便である。
そのため、色鉛筆を収納ケースに入れ、首から吊すか、または、腰など身体にとりつけ、使用時には、姿勢を変えずに、直ちに取り出すことが出来る収納ケースを実現することが目的とするものである。
【課題を解決するための手段】
【０００５】  そして、本発明は、上記目的を達成するもので、本発明の第１の課題解決手段は、筆記具を収納する収納ケースであって、小口が開放された外箱と、該外箱内に収納されて、筆記具の一方を支持して収納する支持具からなり、前記外箱の側面には開口部が形成され、前記支持具は、前記開口部に臨むつまみを有し、前記つまみは、前記開口部に沿って前記小口の方向にスライドさせることによって、前記筆記具を前記小口より外に進出させることが出来るとゝもに、前記外箱の内側に、前記支持具を係止するための係止具材が設けられている構成からなっている。【０００６】  また、第２の課題解決手段は、前記支持具の内側に、前記筆記具をスライド可能に支持する滑り止め部材を設ける構成になっている。【０００７】  また、第３の課題解決手段は、前記滑り止め部材が、同時に、前記支持具を係止する前記係止具材を兼用する構成になっている。【０００８】  つぎに、第４の課題解決手段は、前記開口部には、前記外箱の側面の小口と連通し、前記つまみが嵌まる切り欠き部があり、前記筆記具を収納した支持具が、使用時、収納時には天地を逆にして、前記切り欠き部に前記つまみを抜き差しゝて嵌める構成になっている。【０００９】  つぎに、上記第１の課題解決による作用は、次の通りである。すなわち、本発明の収納ケースは、前述のごとく外箱内に収納され、筆記具を収納した支持具を、つまみを外箱に設けた開口部に沿い小口に向ってスライドさせると、筆記具もその先端部を小口より外に進出するようになるとゝもに、外箱を小口を上にするように立てゝも支持具と筆記具が自重により落下せず、そのまゝの状態を保つよう外箱の内側に設けた係止具材により支持具を止め、筆記具を取り出すことが出来るようになっている。【００１０】  つぎに、第２の課題解決手段による作用は、収納ケースの外箱の小口が下方に向いても、支持具に支えられている筆記具は、支持具に設けられた滑り止め部材との摩擦により支持され、外箱から落下することを防いでいる。【００１１】  また、第３の課題解決手段による作用は、支持具の内側に設けた滑り止め部材により、筆記具の自重による滑りを止めるとゝもに、支持具についても、支持具のつまみにて開口部をスライドさせる以外は、外箱の内側壁に押しつける摩擦力にて係止するようにしている。すなわち、滑り止め部材が、支持具を係止するための係止具材の動作も兼用している。【００１２】  つぎに、第４の課題解決手段による作用は、前記開口部を小口と連なる切り欠き部に形成し、筆記具を収納した支持具のつまみを、小口の方向より嵌めるようにしている。すなわち、筆記具使用時には、筆記具が外箱より外に出るように、収納時には、外箱の内側に入るように、支持具のつまみを切り欠き部に天地を逆にして抜き差しゝて嵌めるようにしている。【００１３】  以上、この収納ケースを筆記具を取り出し易い方向にして身体に取りつけるなどすることで、簡単に筆記具を取り出すことが出来る。
【発明の効果】
【００１４】  本発明の収納ケースは、小口を上に向くように、首などから吊るし、身体にとりつけることにより、姿勢を変えることなく、筆記具を簡単に取り出すことが出来る。【００１５】  使用頻度のちがいにより、筆記具の長さに長短の差が生じても、全ての筆記具を同時に収納ケースの小口より外に食み出させて取り出すことが出来る。【００１６】  筆記具のみを小口より食み出させるため、指にて摘まみ易く、取り出し易い。【００１７】  収納した筆記具が少数であっても、支持具内でこれらが横に倒れない。【００１８】  収納ケースの小口を下方に向けても、筆記具が外へ飛び出さないため安心である。【００１９】  収納ケースは、側面を偏平状に形成しており、この側面に画用紙、スケッチブックなどを載せれば、画板として使用出来る効果がある。
【図面の簡単な説明】
【００２０】
【図１】本発明の実施形態を示す筆記具収納ケースの正面図
【図２】同筆記具収納ケースの図１収納時におけるＡ−Ａ線断面図
【図３】同使用時におけるＡ−Ａ線断面図
【図４】同使用時における他の支持具の実施形態を示す側面部分断面図
【図５】同筆記具収納ケースの他の実施形態を示す収納時の側面断面図
【図６】同使用時における側面断面図
【図７】同筆記具収納ケースの他の実施形態を示す使用時の側面断面図
【図８】同筆記具収納ケースの他の実施形態を示す収納時の側面断面図
【図９】同筆記具収納ケースの他の実施形態を示す使用時の側面断面図
【発明を実施するための形態】
【００２１】  以下、本発明の実施の形態を図に基づいて説明する。
【００２２】  図において、１は筆記具である色鉛筆（以下鉛筆）を収納する収納ケースの外箱であって、小口１ａが開放され、鉛筆６の一方を収納するとゝもに、小口１ａに向ってスライドさせる支持具２を収納している。
【００２３】  また、外箱１の側面には、開口部１ｂが形成されており、支持具２に設けたつまみ２ａが開口部１ｂに嵌まっている。
【００２４】  また、小口１ａの内側には、支持具２を係止するための係止具材４が設けられている。なお、この係止具材４としては、例えば、マグネットで構成し、対応する支持具２には磁性体が取りつけられている。
【００２５】  つぎに、上記構成の動作を説明する。
【００２６】  先づ始めに、小口１ａが上方に向くように、外箱１を首から吊るなどして身体に取りつける（図示なし）。
【００２７】  つぎに、鉛筆６を取り出すには、つまみ２ａを開口部１ｂに沿って小口１ａの方向へスライドさせると、これと一体になって鉛筆６を支持している支持具２も小口１ａに向って移動し、鉛筆６の先端部６ａを小口１ａより外に進出させる。
【００２８】  つぎに、これと同時に、支持具２は、外箱１の内側に設けた係止具材４であるマグネットにより係止させられ、この状態でつまみ２ａから手を離しても、支持具２と鉛筆６は自重により元の位置に降下することはなく、鉛筆６の先端部６ａを摘まみ、小口１ａより外に取り出すことが出来る。
【００２９】  このほか、係止具材として図４に示すように、支持具２につまみ２ｂとねじ２ｃを設け、これを締め付けることにより支持具２を箱体１に係止することが出来る。
【００３０】  また、その他、係止具材としての実施例として図５、６に示すように、小口１ａ内側に係止具材として鉛筆６を係止する突起部材５を設け、使用時には、鉛筆６の側面を摩擦力で押さえ、かつ、滑り止め部材３（後述）のクッションを介して支持具２を外箱１の内側壁１ｃに押しつけ、支持具２を係止することも出来る。
【００３１】  つぎに、時により外箱１の小口１ａを下方に向けて終うと、鉛筆６が支持具２より飛び出すため、支持具２の内側に滑り止め部材３（例えば、ブラシなどクッション性を有するもの）を設け、支持した鉛筆６の側面を摩擦力で押さえ、鉛筆６を収納ケースより手にて出し入れする以外は、支持具２に支持された状態を保つようにしている。
特にブラシなどを用いると、鉛筆６を引き抜いても、他の鉛筆は倒れて来ない。
【００３２】  このほか、実施例として図７に示すように、支持具２の内側に滑り止め部材３を設け、これの摩擦力にて鉛筆６を外箱１の内側壁１ｄに押さえ支持するとゝもに、支持具２も、つまみ２ａにて開口部１ｂをスライドさせる以外は、外箱１の内側壁１ｃに押しつけられ支持具２が自重により落下することを係止している。すなわち、滑り止め部材３が支持具２を外箱１に係止するための係止具材４の動作も兼用することができる。
【００３３】  また、その他、実施例としては、図８、９に示すように、外箱１の小口１ａに、開口部１ｂと連通する切り欠き部１ｅを設け、使用時には、支持具２を手に持ち、収納した鉛筆６の先端部６ａが外箱１の外に向くように、また、収納時には、外箱１の部屋１ｆに入るように、天地を逆に抜き差しするように、支持具２のつまみ２ａを切り欠き部１ｅに嵌めるようにして使用することが出来る。
【００３４】  なお、本発明の収納ケースは、鉛筆６をタテ方向より出し入れするため、ケースの側面を偏平状に形成することが出来、この側面（実施例においては、外箱１の外面１ｇと受け部材１ｈ）に画用紙、スケッチブックなどを載せるようにすれば、画板として使用することが出来る。
【００３５】  また、本発明の収納ケースを机上にて使用する場合は、外箱１の小口１ａを上方に向けるように、外箱１を支え、机上に立てるように置けば、筆記具をタテ方向より取り出し易く使用することが出来る（図示なし）。
【符号の説明】
【００３６】  １    外箱
１ａ  小口
１ｂ  開口部
１ｃ  内側壁
１ｄ  内側壁
１ｅ  切り欠き部
１ｆ  部屋
１ｇ  外面
１ｈ  受け部材
２    支持具
２ａ  つまみ
２ｂ  つまみ
２ｃ  ねじ
３    滑り止め部材
４    係止具
５    突起部材
６    鉛筆
６ａ  先端部
【図１】
2015020058.tif 000003
【図２】
2015020058.tif 000004
【図３】
2015020058.tif 000005
【図４】
2015020058.tif 000006
【図５】
2015020058.tif 000007
【図６】
2015020058.tif 000008
【図７】
2015020058.tif 000009
【図８】
2015020058.tif 000010
【図９】
2015020058.tif 000011
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
筆記具を収納する収納ケースであって、小口が開放された外箱と、該外箱内に収納されて、筆記具の一端を支持してスライドさせる支持具からなり、前記外箱の側面には、前記小口の方向に延びる開口部が形成され、前記支持具は、前記開口部に臨むつまみを有し、前記つまみは、前記開口部に沿って前記小口の方向にスライドさせることによって、前記筆記具を前記小口より外に進出させることが出来るとともに、前記外箱の内側に、前記支持具を前記外箱の内側壁に押さえて係止する係止具材が設けられていることを特徴とする筆記具収納ケース。
【請求項２】
前記支持具の内側に、前記筆記具をスライド可能に押し付ける滑り止め部材を設けることを特徴とする請求項１記載の筆記具収納ケース。
【請求項３】
前記滑り止め部材と、該滑り止め部材によって前記外箱の内側壁に押し付けられた前記筆記具とが、前記係止具材となることを特徴とする請求項２記載の筆記具収納ケース。
【請求項４】
前記開口部には、前記小口と連通する切り欠き部があり、前記つまみが、使用時と収納時とで、天地を逆にして、前記切り欠き部に抜き差しして嵌ることを特徴とする請求項１記載の筆記具収納ケース。
【手続補正２】
【補正対象書類名】明細書
【補正対象項目名】０００５
【補正方法】変更
【補正の内容】
【０００５】  そして、本発明は、上記目的を達成するもので、本発明の第１の課題解決手段は、筆記具を収納する収納ケースであって、小口が開放された外箱と、該外箱内に収納されて、筆記具の一端を支持してスライドさせる支持具からなり、前記外箱の側面には、前記小口の方向に延びる開口部が形成され、前記支持具は、前記開口部に臨むつまみを有し、前記つまみは、前記開口部に沿って前記小口の方向にスライドさせることによって、前記筆記具を前記小口より外に進出させることが出来るとともに、前記外箱の内側に、前記支持具を前記外箱の内側壁に押さえて係止する係止具材が設けられている構成からなっている。
【手続補正３】
【補正対象書類名】明細書
【補正対象項目名】０００６
【補正方法】変更
【補正の内容】
【０００６】  また、第２の課題解決手段は、前記支持具の内側に、前記筆記具をスライド可能に押し付ける滑り止め部材を設ける構成になっている。
【手続補正４】
【補正対象書類名】明細書
【補正対象項目名】０００７
【補正方法】変更
【補正の内容】
【０００７】  また、第３の課題解決手段は、前記滑り止め部材と、該滑り止め部材によって前記外箱の内側壁に押し付けられた前記筆記具とが、前記係止具材となる構成になっている。
【手続補正５】
【補正対象書類名】明細書
【補正対象項目名】０００８
【補正方法】変更
【補正の内容】
【０００８】  つぎに、第４の課題解決手段は、前記開口部には、前記小口と連通する切り欠き部があり、前記つまみが、使用時と収納時とで、天地を逆にして、前記切り欠き部に抜き差しして嵌る構成になっている。